(57)【要約】【課題】連写撮影において一定の連写枚数を一つのファイルとして保存する連写モードを効率よく使用する画像再生装置および方法を提供する。【解決手段】連写モードを使用して記録メディアに記録されたファイル形式のデータを再生するときに、前記撮影画像を適当な数に分割し、ＳＤＲＡＭのＹＵＶデータ領域に連写画像用のＹＵＶデータを生成し、前記ＹＵＶデータから表示させるコマの画像ＹＵＶデータに相当するデータを表示用データ格納エリアに転送することで、１コマのみを個別に再生することができる。また、このような分割された画像をスライドショー再生するときに、対象となる連写画像のＹＵＶデータを拡大表示用データ格納エリアに転送するすることで必要な倍率で１画像を拡大して再生することができ、分割に伴う不要な画像を消去する煩雑さがなくなる。【選択図】        図２
2004165857.tif 000002
【特許請求の範囲】
【請求項１】
複数枚の元画像が連続的に表示されるための連続画像データが１つの画像ファイルとして作成されており、前記連続画像データを再生する画像再生装置であって、
前記連続画像データを所定の分割設定値に基づき分割するための分割値設定手段と、分割した前記連続画像データが再生されるとき、前記連続画像データに対応する画像を表示する画像表示手段と、前記連続画像データを１コマずつ個別に再生する個別再生手段とを有することを特徴とする画像再生装置。
【請求項２】
前記分割値設定手段により設定する分割設定値は、分割後の画像数であることを特徴とする請求項１に記載の画像再生装置。
【請求項３】
前記分割値設定手段により設定する分割設定値は、分割後の画像サイズであることを特徴とする請求項１に記載の画像再生装置。
【請求項４】
前記分割値設定手段は分割前の画像サイズを参照することで、設定可能な分割設定値の選択範囲が決定されることを特徴とする請求項１に記載の画像再生装置。
【請求項５】
前記連続画像データの個々の画像サイズを特定する画像サイズ情報を前記画像ファイル内に記録し、前記個別再生手段は前記画像サイズ情報によって個々の画像データを特定し、それぞれの画像データを１コマずつ個別に再生し、前記個別再生手段が前記連続画像データを１コマずつ個別に再生する際に、何コマ目の画像であるかを表示する表示手段を有することを特徴とする請求項１から４の何れか１項に記載の画像再生装置。
【請求項６】
前記個別再生手段は、前記連続画像データを必要な倍率で小ブロックを拡大して再生する拡大再生手段であることを特徴とする請求項１から５の何れか１項に記載の画像再生装置。
【請求項７】
前記拡大再生手段により再生される前記連続画像データに対し、音声データを同時に有している場合、前記連続画像データと前記音声データを１対１で関連付けて再生する手段を有することを特徴とする請求項６に記載の画像再生装置。
【請求項８】
前記拡大再生手段により再生される前記連続画像データの再生間隔を前記分割値設定手段により設定された分割設定値に相当する間隔に基づき算出する手段を有することを特徴とする請求項６に記載の画像再生装置。
【請求項９】
前記拡大再生手段により再生される前記連続画像データ上に所定の間隔からなる格子のデータを重ね合わせて再生する手段を有することを特徴とする請求項６に記載の画像再生装置。
【請求項１０】
前記画像表示手段により表示されている画像を、前記分割値設定手段により設定された分割設定値に基づいて分割し、分割後の画像を個々の画像ファイルとして生成することを特徴とする請求項１から９の何れか１項に記載の画像再生装置。
【請求項１１】
前記画像表示手段により表示されている画像を、前記分割値設定手段により設定された分割設定値に基づいて分割し、分割後の個々の画像を動画ファイル形式のフォーマットにて生成することを特徴とする請求項１から９の何れか１項に記載の画像再生装置。
【請求項１２】
複数枚の元画像が連続的に表示されるための連続画像データが１つの画像ファイルとして作成されており、前記連続画像データを再生する画像再生方法であって、
前記連続画像データを所定の分割設定値に基づき分割するための分割値設定工程と、分割した前記連続画像データが再生されるとき、前記連続画像データに対応する画像を表示する画像表示工程と、前記連続画像データを１コマずつ個別に再生する個別再生工程とを有することを特徴とする画像再生方法。
【請求項１３】
前記分割値設定工程により設定する分割設定値は、分割後の画像数であることを特徴とする請求項１２に記載の画像再生方法。
【請求項１４】
前記分割値設定工程により設定する分割設定値は、分割後の画像サイズであることを特徴とする請求項１２に記載の画像再生方法。
【請求項１５】
前記分割値設定工程は分割前の画像サイズを参照することで、設定可能な分割設定値の選択範囲が決定されることを特徴とする請求項１２に記載の画像再生方法。
【請求項１６】
前記連続画像データの個々の画像サイズを特定する画像サイズ情報を前記画像ファイル内に記録し、前記個別再生工程は前記画像サイズ情報によって個々の画像データを特定し、それぞれの画像データを１コマずつ個別に再生し、前記個別再生工程が前記連続画像データを１コマずつ個別に再生する際に、何コマ目の画像であるかを表示する表示工程を有することを特徴とする請求項１２から１５の何れか１項に記載の画像再生方法。
【請求項１７】
前記個別再生工程は、前記連続画像データを必要な倍率で小ブロックを拡大して再生する拡大再生工程であることを特徴とする請求項１２から１６の何れか１項に記載の画像再生方法。
【請求項１８】
前記拡大再生工程により再生される前記連続画像データに対し、音声データを同時に有している場合、前記連続画像データと前記音声データを１対１で関連付けて再生する工程を有することを特徴とする請求項１７に記載の画像再生方法。
【請求項１９】
前記拡大再生工程により再生される前記連続画像データの再生間隔を前記分割値設定工程により設定された分割設定値に相当する間隔に基づき算出する工程を有することを特徴とする請求項１７に記載の画像再生方法。
【請求項２０】
前記拡大再生工程により再生される前記連続画像データ上に所定の間隔からなる格子のデータを重ね合わせて再生する工程を有することを特徴とする請求項１７に記載の画像再生方法。
【請求項２１】
前記画像表示工程により表示されている画像を、前記分割値設定工程により設定された分割設定値に基づいて分割し、分割後の画像を個々の画像ファイルとして生成することを特徴とする請求項１２から２０の何れか１項に記載の画像再生方法。
【請求項２２】
前記画像表示工程により表示されている画像を、前記分割値設定工程により設定された分割設定値に基づいて分割し、分割後の個々の画像を動画ファイル形式のフォーマットにて生成することを特徴とする請求項１２から２０の何れか１項に記載の画像再生方法。
【発明の詳細な説明】
【０００１】
【発明の属する技術分野】
本発明は画像再生装置および方法に関するものであり、特にデジタルカメラの連写モードを使用する画像再生装置および方法に関する。
【０００２】
【従来の技術】
デジタルカメラの機能の一つとして、連写撮影において一定の連写枚数を１つのファイルとして保存する連写モードを備えたカメラがある。前記連写モードにおいては、１つのファイル内に複数の撮影画像が存在するため、個々の撮影画像の画素数、解像度は最高画素に比べると下がるが、近年のＣＣＤ等の撮像素子の高画素化に伴い、目的によっては十分な画質を得ることが可能となってきている。また、そのような撮影画像はデータ量が大きくなるので、分割してデータ量を小さくして、メモリの負担を軽減しているものもある。このように連写モードと分割機能に関する改良技術が存在する。
【０００３】
例えば、特許文献１に記載の技術では、連写モードを使用して、連続撮影した画像データを同一画面に並べて１ファイルを作成する手段と、その連続データを同時にコマ送りする手段を特徴としている。
【０００４】
特許文献２に記載の技術では、構成手段が分割した画像を再度圧縮して、圧縮した画像を表示することを特徴としている。
【０００５】
特許文献３に記載の技術では、画像を小ブロックに分け、ＭＰＥＧファイルに変換するようにしている。
【０００６】
特許文献４に記載の技術では、連写モードにおいて撮影された複数の静止画を合成して１枚の静止画面上に配置して作成した静止画を再生する際に、複数の静止画の各々を切り出して動画用画像ファイルに変換し、連写の撮影順に順次所定の間隔で映出して擬似動画として見ることを可能にしている。
【０００７】
【特許文献１】
特開２０００−０３２３０１号公報
【特許文献２】
特開２０００−１２２６３６号公報
【特許文献３】
特開平７−２６４５９０号公報
【特許文献４】
特許第３２５３５３８号公報
【０００８】
【発明が解決しようとする課題】
しかし、前記連写モードにて生成されるファイルは、複数の撮影画像が１つのファイルとして生成されるため、ＬＣＤおよびＰＣ等の再生装置において再生した場合に、特許文献１記載の技術のように全ての画像が同時に表示され、個々の画像だけを表示しようとした場合には、デジタルカメラのズーム再生と表示位置の微調整等の組み合わせによって表示位置を合わせる必要があり、個々の画像をスムーズに再生することは困難である。また、特許文献２記載の技術のように分割画像を再圧縮すると表示する際にまた表示位置を合わせる煩雑さが伴う。そしてこのような分割画像を保存する際には不要な場合でも分割した画像が残ってしまうか、分割した画像を消去する必要がある。特許文献３記載の技術も同様である。特許文献４記載の技術は、撮影順に画像を表示していくことに主眼をおいているが、ファイルに記録される画像データを個別に管理する配慮に欠けているために、ユーザが所望の画像データを再生することに対する制限が大きい。本発明では上記の問題点を鑑みる。
【０００９】
請求項１に係る発明では、適当に画像を分割するとき、表示位置の微調整を行うことなく連続画像の個々の画像をスムーズに再生する画像再生装置を提供することを目的とする。
【００１０】
請求項２に係る発明では、分割設定値が表す具体的データを有する画像再生装置を提供することを目的とする。
【００１１】
請求項３に係る発明では、分割設定値が表す具体的データを有する画像再生装置を提供することを目的とする。
【００１２】
請求項４に係る発明では、分割設定値を設定する際の参照データを有する画像再生装置を提供することを目的とする。
【００１３】
請求項５に係る発明では、各々の画像データを識別する情報を付加することで、任意のコマ数を１ファイルに作成した場合でも、ファイルに記述した情報から個々の画像を取得することで個別に再生でき、特別な処理を行うことなく連続枚数を指定することができ、個々の画像サイズ、つまり連続枚数を自動的に変更することができる画像再生装置を提供することを目的とする。
【００１４】
請求項６に係る発明では、画像を小ブロックに分割する作業および再生終了後に分割した画像を消去する作業を省略できる画像再生装置を提供することを目的とする。
【００１５】
請求項７に係る発明では、音声の関連付けが従来通りで済む画像再生装置を提供することを目的とする。
【００１６】
請求項８に係る発明では、時系列での分割画像を取り込む際、再生の間隔時間を分割した時間に容易に合わせることができる画像再生装置を提供することを目的とする。
【００１７】
請求項９に係る発明では、動きの変化をより正確に捉えることができる画像再生装置を提供することを目的とする。
【００１８】
請求項１０に係る発明では、分割した画像データも画像ファイルとして保存する画像再生装置を提供することを目的とする。
【００１９】
請求項１１に係る発明では、分割した画像データも動画ファイルとして保存する画像再生装置を提供することを目的とする。
【００２０】
請求項１２に係る発明では、適当に画像を分割するとき、表示位置の微調整を行うことなく連続画像の個々の画像をスムーズに再生する画像再生方法を提供することを目的とする。
【００２１】
請求項１３に係る発明では、分割設定値が表す具体的データを有する画像再生方法を提供することを目的とする。
【００２２】
請求項１４に係る発明では、分割設定値が表す具体的データを有する画像再生方法を提供することを目的とする。
【００２３】
請求項１５に係る発明では、分割設定値を設定する際の参照データを有する画像再生方法を提供することを目的とする。
【００２４】
請求項１６に係る発明では、各々の画像データを識別する情報を付加することで、任意のコマ数を１ファイルに作成した場合でも、ファイルに記述した情報から個々の画像を取得することで個別に再生でき、特別な処理を行うことなく連続枚数を指定することができ、個々の画像サイズ、つまり連続枚数を自動的に変更することができる画像再生方法を提供することを目的とする。
【００２５】
請求項１７に係る発明では、画像を小ブロックに分割する作業および再生終了後に分割した画像を消去する作業を省略できる画像再生方法を提供することを目的とする。
【００２６】
請求項１８に係る発明では、音声の関連付けが従来通りで済む画像再生方法を提供することを目的とする。
【００２７】
請求項１９に係る発明では、時系列での分割画像を取り込む際、再生の間隔時間を分割した時間に容易に合わせることができる画像再生方法を提供することを目的とする。
【００２８】
請求項２０に係る発明では、動きの変化をより正確に捉えることができる画像再生方法を提供することを目的とする。
【００２９】
請求項２１に係る発明では、分割した画像データも画像ファイルとして保存する画像再生方法を提供することを目的とする。
【００３０】
請求項２２に係る発明では、分割した画像データも動画ファイルとして保存する画像再生方法を提供することを目的とする。
【００３１】
【課題を解決するための手段】
かかる目的を解決するため、請求項１に記載の発明は、複数枚の元画像が連続的に表示されるための連続画像データが１つの画像ファイルとして作成されており、連続画像データを再生する画像再生装置であって、連続画像データを所定の分割設定値に基づき分割するための分割値設定手段と、分割した連続画像データが再生されるとき、連続画像データに対応する画像を表示する画像表示手段と、連続画像データを１コマずつ個別に再生する個別再生手段とを有することを特徴とする。
【００３２】
請求項２に記載の発明は、請求項１に記載の発明において、分割値設定手段により設定する分割設定値は、分割後の画像数であることを特徴とする。
【００３３】
請求項３に記載の発明は、請求項１に記載の発明において、分割値設定手段により設定する分割設定値は、分割後の画像サイズであることを特徴とする。
【００３４】
請求項４に記載の発明は、請求項１に記載の発明において、分割値設定手段は分割前の画像サイズを参照することで、設定可能な分割設定値の選択範囲が決定されることを特徴とする。
【００３５】
請求項５に記載の発明は、請求項１から４の何れか１項に記載の発明において、連続画像データの個々の画像サイズを特定する画像サイズ情報を画像ファイル内に記録し、個別再生手段は画像サイズ情報によって個々の画像データを特定し、それぞれの画像データを１コマずつ個別に再生し、個別再生手段が連続画像データを１コマずつ個別に再生する際に、何コマ目の画像であるかを表示する表示手段を有することを特徴とする。
【００３６】
請求項６に記載の発明は、請求項１から５の何れか１項に記載の発明において、個別再生手段は、連続画像データを必要な倍率で小ブロックを拡大して再生する拡大再生手段であることを特徴とする。
【００３７】
請求項７に記載の発明は、請求項６に記載の発明において、拡大再生手段により再生される連続画像データに対し、音声データを同時に有している場合、連続画像データと音声データを１対１で関連付けて再生する手段を有することを特徴とするを特徴とする。
【００３８】
請求項８に記載の発明は、請求項６に記載の発明において、拡大再生手段により再生される連続画像データの再生間隔を分割値設定手段により設定された分割設定値に相当する間隔に基づき算出する手段を有することを特徴とする。
【００３９】
請求項９に記載の発明は、請求項６に記載の発明において、拡大再生手段により再生される連続画像データ上に所定の間隔からなる格子のデータを重ね合わせて再生する手段を有することを特徴とする。
【００４０】
請求項１０に記載の発明は、請求項１から９の何れか１項に記載の発明において、画像表示手段により表示されている画像を、分割値設定手段により設定された分割設定値に基づいて分割し、分割後の画像を個々の画像ファイルとして生成することを特徴とする。
【００４１】
請求項１１に記載の発明は、請求項１から９の何れか１項に記載の発明において、画像表示手段により表示されている画像を、分割値設定手段により設定された分割設定値に基づいて分割し、分割後の個々の画像を動画ファイル形式のフォーマットにて生成することを特徴とする。
【００４２】
請求項１２に記載の発明は、複数枚の元画像が連続的に表示されるための連続画像データが１つの画像ファイルとして作成されており、連続画像データを再生する画像再生方法であって、連続画像データを所定の分割設定値に基づき分割するための分割値設定工程と、分割した連続画像データが再生されるとき、連続画像データに対応する画像を表示する画像表示工程と、連続画像データを１コマずつ個別に再生する個別再生工程とを有することを特徴とする。
【００４３】
請求項１３に記載の発明は、請求項１２に記載の発明において、分割値設定工程により設定する分割設定値は、分割後の画像数であることを特徴とする。
【００４４】
請求項１４に記載の発明は、請求項１２に記載の発明において、分割値設定工程により設定する分割設定値は、分割後の画像サイズであることを特徴とする。
【００４５】
請求項１５に記載の発明は、請求項１２に記載の発明において、分割値設定工程は分割前の画像サイズを参照することで、設定可能な分割設定値の選択範囲が決定されることを特徴とする。
【００４６】
請求項１６に記載の発明は、請求項１２から１５の何れか１項に記載の発明において、連続画像データの個々の画像サイズを特定する画像サイズ情報を画像ファイル内に記録し、個別再生工程は画像サイズ情報によって個々の画像データを特定し、それぞれの画像データを１コマずつ個別に再生し、個別再生工程が連続画像データを１コマずつ個別に再生する際に、何コマ目の画像であるかを表示する表示工程を有することを特徴とする。
【００４７】
請求項１７に記載の発明は、請求項１２から１６の何れか１項に記載の発明において、個別再生工程は、連続画像データを必要な倍率で小ブロックを拡大して再生する拡大再生工程であることを特徴とする。
【００４８】
請求項１８に記載の発明は、請求項１７に記載の発明において、拡大再生工程により再生される連続画像データに対し、音声データを同時に有している場合、連続画像データと音声データを１対１で関連付けて再生する工程を有することを特徴とする。
【００４９】
請求項１９に記載の発明は、請求項１７に記載の発明において、拡大再生工程により再生される連続画像データの再生間隔を分割値設定工程により設定された分割設定値に相当する間隔に基づき算出する工程を有することを特徴とする。
【００５０】
請求項２０に記載の発明は、請求項１７に記載の発明において、拡大再生工程により再生される連続画像データ上に所定の間隔からなる格子のデータを重ね合わせて再生する工程を有することを特徴とする。
【００５１】
請求項２１に記載の発明は、請求項１２から２０の何れか１項に記載の発明において、画像表示工程により表示されている画像を、分割値設定工程により設定された分割設定値に基づいて分割し、分割後の画像を個々の画像ファイルとして生成することを特徴とする。
【００５２】
請求項２２に記載の発明は、請求項１２から２０の何れか１項に記載の発明において、画像表示工程により表示されている画像を、分割値設定工程により設定された分割設定値に基づいて分割し、分割後の個々の画像を動画ファイル形式のフォーマットにて生成することを特徴とする。
【００５３】
【発明の実施の形態】
以下に本発明の実施の形態を図面を参照しながら説明する。
【００５４】
図１は１実施例として、本発明の画像再生装置を利用したデジタルカメラの構成ブロック図である。まずデジタルカメラの基本構成および動作を図１を参照して説明する。
【００５５】
デジタルカメラは、レンズ系、絞り・フィルター部を含むメカ機構からなるレンズユニット、ＣＣＤ、ＣＤＳ回路、可変利得増幅器（ＡＧＣアンプ）、Ａ／Ｄ変換機、ＩＰＰ、ＪＰＥＧコーダー、ＳＤＲＡＭ、ＣＰＵ、表示部、操作部、ＳＧ（制御信号生成）部、ストロボ装置、バッテリ、ＤＣ／ＤＣコンバータ、ズームドライバ、ズームモータ、フォーカスドライバ、フォーカスモータ、ＰＣカードインタフェースおよびＰＣカードインタフェースを介して着脱可能なＰＣカード、ＬＣＤ、ＵＳＢコントローラ、コネクタ等によって構成されている。
【００５６】
レンズユニットは、レンズ系、絞り・フィルター部等を含むメカ機構からなり、メカ機構のメカニカルシャッタは２つのフィールドの同時露光を行う。
フォーカスドライバは、ＣＰＵから供給される制御信号に従って、パルスモータを駆動してフォーカスレンズ系を光軸方向に移動させる。
ズームドライバはＣＰＵから供給される制御信号に従って、ズームレンズ系を光軸方向に移動させる。
また絞りドライバはＣＰＵから供給される制御信号に従って、絞りの絞り値を設定する。
【００５７】
ＣＣＤ（電化結合素子）は、レンズユニットを介して入力した映像を電気信号（アナログ画像データ）に変換する。
【００５８】
ＣＤＳ（相関２重サンプリング）回路は、ＣＣＤ撮像素子に対する低雑音化のための回路である。
またＡＧＣアンプはＣＤＳ回路で相関２重サンプリングされた信号のレベルを補正する。
さらにＡ／Ｄ変換器は、ＡＧＣアンプを介して入力したＣＣＤからのアナログ画像データをデジタル画像データに変換する。
すなわちＣＣＤの出力信号は、ＣＤＳ回路およびＡＧＣアンプを介し、またＡ／Ｄ変換機により最適なサンプリング周波数にてデジタル信号に変換され、ＳＤＲＡＭ等の揮発性メモリのＲＡＷデータ領域に保存される。
【００５９】
デジタル信号処理部であるＩＰＰは、Ａ／Ｄ変換機から入力され、ＳＤＲＡＭのＲＡＷデータ領域に保存されているデジタル画像データに対して、ガンマ補正、色分離等の通常カメラ信号処理がなされ、Ｙ（輝度）、Ｕ、Ｖ（色差）信号を作成し、ＳＤＲＡＭのＹＵＶデータ領域に保存する。
【００６０】
ここで図２を用いてＳＤＲＡＭに配置されるプログラム領域、ワークＲＡＭ領域（作業領域）、撮影画像取り込みのためのＲＡＷデータ領域、ＹＵＶデータ領域、圧縮画像データ領域の説明をしておく。
【００６１】
プログラム領域は、ＲＯＭに格納されたプログラムを展開する領域であり、ＣＰＵはプログラム領域に展開されたプログラムに従う。本実施形態で利用されるプログラムとしては、元画像のデジタル画像データを操作部より入力される指定枚数分集めて、相応の連写画像のＹＵＶデータを生成する分割数設定プログラムと、元画像のデジタル画像データを操作部より入力される指定サイズに基づいて複数枚集めてから相応の連写画像のＹＵＶデータを生成する分割サイズ設定プログラムと、元画像の画像サイズに基づいて分割可能な数の制限を設け自動的に相応の連写画像のＹＵＶデータを生成する制限設定プログラムがある。
【００６２】
ワークＲＡＭ領域（作業領域）は、ＣＰＵが前記プログラムに従う際の作業領域となる領域であり、操作部からの指示等の外部動作指示に従う際の作業領域となる領域でもある。
【００６３】
ＲＡＷデータ領域は、先述したように撮影画像を取り込んでデジタル画像データに変換されるときに、そのデジタル画像データを保存するための領域であり、ＩＰＰが参照してＹＵＶデータを作成するための領域である。
【００６４】
ＹＵＶデータ領域は、ＩＰＰにより生成されたＹＵＶデータを保存する領域である。ＪＰＥＧコーダーによりＹＵＶデータ領域内のＹＵＶデータを用いて画像の圧縮が行われ、また記録メディアから圧縮データ領域に呼び出された画像データが伸張され、そのＹＵＶデータの圧縮出力が保存される領域である。また、ＹＵＶデータはＬＣＤ等に撮影画像を表示する際のデータでもあり、後述する連写画像データの個別再生のときに表示用データ格納エリアに転送され、拡大再生のときに拡大表示用データ格納エリアに転送される。
【００６５】
圧縮画像データ領域は、ＪＰＥＧコーダーによって圧縮された圧縮画像信号を保存する領域であり、記録メディアから所定のファイル形式のデータを読み出す領域である。
【００６６】
さて、ＣＰＵはＲＯＭに格納されたプログラムをプログラム領域に展開し、そのプログラムに従い、ワークＲＡＭ領域を作業領域として使用し、操作部からの指示等による外部動作指示に従うことでデジタルカメラの全動作を制御する。
ＣＰＵの制御に対し、ＪＰＥＧコーダーはＹＵＶデータ領域に格納されているＹＵＶ信号を用いて、ＪＰＥＧ準拠の画像圧縮・伸張の一過程である直交変換ならびに、ハフマン符号化・復合化を行う。
【００６７】
撮影画像を記録する時には、ＪＰＥＧコーダーによって圧縮された圧縮画像信号がＳＤＲＡＭの圧縮画像領域に保存される。またＬＣＤ等の表示装置に表示される画像はＹＵＶデータ領域に展開されたＹＵＶデータによって生成される。
つまり、デジタルカメラでの記録時には、記録処理によりＲＡＷデータ領域にＣＣＤの出力信号をＡ／Ｄ変換したデジタル画像データが生成され、ＹＵＶデータ領域に前記デジタル画像データに対してカメラ信号処理を施したＹＵＶデータが生成され、前記ＹＵＶデータを用いてＬＣＤに撮影画像が表示される。さらに、前記ＹＵＶデータがＪＰＥＧコーダーにより圧縮され、圧縮画像データ領域に前記ＹＵＶデータの圧縮出力が生成される。また、所定のファイル形式のファイルヘッダが付加されたファイルとして最終的にはカードインターフェースを介して記録メディアに書き込まれる。以上が記録時の一連の流れである。
【００６８】
記録した画像を再生する時には、記録時の処理とちょうど逆であり、記録メディアに記録された所定のファイル形式のデータを、前記圧縮画像データ領域に読み出し、前記圧縮画像データ領域のデータをＪＰＥＧ変換によりデコードすることで前記ＹＵＶデータ領域にＹＵＶデータを生成する。前記ＹＵＶデータ領域に生成されたＹＵＶデータを用いて、表示データの作成を行う。
【００６９】
連写モードを利用して連写画像データを作成する場合には、操作部より連写モードを指定し、レンズユニットから複数枚の映像を連続的に取り込み、上述の基本動作により連写画像データに対するデジタル画像データ、ＹＵＶデータ、圧縮画像データが生成され１画像として扱われる。記録、再生に関しても上記と同様の取り扱いである。最近の３００万画素などの高画素のＣＣＤ等の撮像素子を有するデジタルカメラにおいては、例えば９画像を１ファイルに作成した場合でも、個々の画像サイズはＶＧＡ以上の画像サイズとなり一般的なデジタルカメラの低画素モードで撮影した場合に比べても、画素数が多いので用途に応じては十分な画質を保有している。しかし、その際には連写画像データを形成する元画像の枚数つまり分割数を設定する必要が生じる。
【００７０】
分割数の設定に関しては例えばカメラのユーザーインタフェースである操作部から設定する。一例として、図３に分割数として９を入力した場合に表示装置に表示されるマルチ連写画面を示す。
操作部による入力に対し、ＣＰＵはプログラム領域に展開された分割数設定のプログラムに従い、ワークＲＡＭ領域を作業領域として、連写画像の対象となる９つの画像のＹＵＶデータが生成される。９つのＹＵＶデータから新たに１つのＹＵＶデータが生成され、表示装置にはその１つになったＹＵＶデータによる画像が表示される。
【００７１】
上記のように分割の数を設定するのは簡単ではあるが、連写画像の個々の画像は１枚を表示する時よりも解像度は低いので、ユーザが所望する画質およびサイズを提供するためには分割の数よりもサイズを指定する方が都合が良い。ユーザが画像サイズを指定したときには、ＣＰＵはプログラム領域に展開された分割サイズ設定のプログラムに従い、ワークＲＡＭ領域を作業領域として、前記同様に連写画像用の新たな１つのＹＵＶデータが生成され、対応する画像が画面に表示される。
【００７２】
また元画像の画像サイズにより、分割可能な数の制限を設ける、あるいは自動的に分割数およびサイズを決定することもＣＰＵがプログラム領域に展開された制限設定のプログラムに従い、ワークＲＡＭ領域を作業領域として、前記同様に連写画像用の新たな１つのＹＵＶデータが生成されると、対応する画像が画面に表示されるようになり、分割の方法に関してはかなり多様なニーズに応えることができる。
【００７３】
前述のように１ファイル内に複数の連続画像を記録した場合には、ＰＣあるいはデジタルカメラで再生する際にはあくまで１画像として処理されるため、画面上に９枚の画像全てが表示されてしまい、１枚だけを表示するのは、ＰＣでの編集や、カメラでの再生位置、大きさの調整などが必要となり困難である。
本実施形態は連続撮影された連写画像を１つのファイルとして作成したファイルから個々の画像のみを表示させることを可能にする。以下、個々の画像のみを表示させる個別再生の詳細な説明を行う。
【００７４】
例えば縦２０４８画素  横１５３６画素の画像サイズを持つファイルとして、図３に示すような３×３コマの画像を作成した場合には１画像はＶＧＡサイズとすることが可能である。
既に説明した記録画像の再生手段に従い、９コマ記録された連写画像ファイルを画像圧縮データ領域に記録メディアから読み出し、前記圧縮データにＪＰＥＧ伸張処理を施すことで、９コマ分の画像データを持つＹＵＶデータが生成される。前記ＹＵＶデータから、表示させるコマの画像ＹＵＶデータに相当するデータを図２のＹＵＶデータ領域の表示用データ格納エリアに転送することで、９コマ存在するファイルから１コマのみを表示させることが可能である。
本実施形態では、ＪＰＥＧ伸張処理後のＹＵＶデータを表示用データ格納エリアに転送しているが、特に転送することなくＹＵＶデータ領域に保存しておいても問題ない。
【００７５】
連写画像を１ファイルとして記録する際に、ファイル内に個々の画像サイズ情報を記録時（例えば、連写画像のＹＵＶデータの圧縮出力を圧縮画像データ領域に生成するとき）に記述しておくことで、任意のコマ数を１ファイルに作成した場合でも、ファイルに記述した情報から個々の画像を取得することが可能となる。つまりファイル内に、１ファイル内に記録したトータルコマ数、あるいは個々のコマの画像サイズ等を記述することで可能になる。
【００７６】
また、前記１ファイルに複数画像が記録してあり、各画像を各々コマとして再生するには、再生中の画像の画像番号等を表示することで実現可能になる。このときには対象となるコマのＹＵＶデータに画像番号を表示するデータを添えておけばよい。それから例えば、図３において、画像番号１の画像を表示している場合には、その旨をＯＳＤなどによって表示を行う。
【００７７】
本実施形態では、連続撮影された連写画像を１つのファイルとして作成したファイルから個々の画像ファイルを作成することを特徴としている。先述したとおり個々の画像から作成された連写画像は十分な画像を保有しているので、逆に連写記録されたファイルから、１画像を取り出しファイルとして作成した場合にも、用途によっては十分な画質を保有することができる。
【００７８】
既に説明した記録画像の再生手段に従い、９コマ記録された画像ファイルを画像圧縮データ領域に記録メディアから読み出し、前記画像圧縮データにＪＰＥＧ伸張処理を施すことで、９コマ分の画像データを持つＹＵＶデータが生成される。前記ＹＵＶデータから、表示させるコマの画像ＹＵＶデータに相当するデータを図２に示す表示用データ格納エリアに転送することで、９コマ存在するファイルから１コマのみを表示させることが可能である。
さらに、前記表示用データ格納エリアにあるＹＵＶデータをＪＰＥＧコーダーにより再圧縮し、所定のファイルヘッダを付加して所定のファイル形式として記録メディアに保存することで、複数の連続画像を含むファイルから個々の画像ファイルを作成することが可能である。そして、そのような個別にファイルとして記録する画像はユーザが操作部から指示して任意に選択することが可能である。
【００７９】
次に、圧縮された連写画像データを拡大再生する実施形態をパソコン上で処理することを想定して説明する。なお、拡大再生を行う際の種々のデータを取り扱う装置構成はデジタルカメラの場合のそれと同様である。
【００８０】
従来は図７のように連写画像を実際に分割し、保存し、ファイル名を付けたものをスライドショー再生していた。これだと不要な場合でも分割した画像が残ってしまうか、分割した画像を消去する作業が発生していた。本実施形態では、図４に示すように画像を分割せず、バックで画像を必要倍率に拡大し１枚づつ表示しスライドショー再生する。具体的には対象とする連写画像データを記録メディアから圧縮画像データ領域に読み出し、ＪＰＥＧ伸張処理を施すことでＹＵＶデータを生成させる。前記ＹＵＶデータを図２に示す拡大表示用データ格納エリアに転送することで個々の画像を順番に拡大して表示していく。こうすることで分割画像を消去する作業を省略できる。
【００８１】
連写画像の分割によるスライドショーの再生にあたっては、画像データの再生と共に録音した音声データを再生することがある。このとき音声情報もファイルとして記録されており、連写画像データと１対１の関連付けが施されているが、図７に示すように連写画像データを分割して再生を行うと、分割のために音声の１対１の関連付けがくずれてしまい、スムーズな音声再生を行うためには分割に応じて新たに関連付けを行うソフトを作成せねばならない。
【００８２】
図３のマルチ連写画面において、音声データを所有しており、音声の関連付けがなされている連写画像データは画面右下のスピーカーマークが色付きで表示されており、このスピーカーマークをダブルクリックすると、音声再生するようになっている。
【００８３】
本実施形態では画像を拡大している、つまりスライドショー再生時に対象の連写画像データのＹＵＶデータを図２に示す拡大表示用データ格納エリアに転送することで元画像を分割することなく、音声の１対１の関連付けをくずすことはない。従って従来通り１つの音声ファイルを利用すればよい。
【００８４】
音声再生に関しては、先述した分割数設定のプログラム、分割サイズ設定のプログラム、制限設定のプログラムの何れかを活用し、連写画像の分割数に基づいた再生時間間隔で行うと、画像のスライドショーの再生間隔に合う。
【００８５】
もし音声が連写撮影時に録音されたものでなく、別の時期に録音だけを行い、その音声ファイルを作成し、対象となる連写画像データの再生時に前記の録音を再生したいときには、所定の関連付けを行えば十分である。本実施形態の拡大再生手段は元画像を分割することが無いので関連付けをくずすことはない。そしてこのような音声の音声データは連写撮影の場面に対応したものでなくても良いし、連写撮影の時間と録音の時間とが同じでない音声ファイルでも良い。
【００８６】
通常スライドショー再生には、設定した時間で次々と画像を表示するものと、マウス等をクリックした場合のみ次画像を表示するものがある。設定時間は図５の表示間隔にある通り、予め決められたものを利用する。しかし実際に再生させるときには、分割に基づくスライドショーの速さに合わせた時間で切り替わることが望ましいし、その切り替えは自動的に行われる方が利便性が高い。
【００８７】
本実施形態では連写画像を分割することなく拡大再生しているだけ、つまりスライドショー再生時に対象の連写画像データのＹＵＶデータを図２に示す拡大表示用データ格納エリアに転送するだけで、撮影間隔から算出した表示間隔を設定することが可能となる。算出するときには先述した分割数設定のプログラム、分割サイズ設定のプログラム、制限設定のプログラムの何れかを活用すれば十分である。これで連写画像の分割数に基づいた再生時間間隔で行われることになる。
【００８８】
本実施形態ではスライドショーの再生において動きの変化を捉えるために、図６（ａ）のようなスライドショー再生よりも、図６（ｂ）のように升目を設けるモードを設けることにより、必要に応じより細かい解析が可能となる。具体的には、対象とする連写画像データを記録メディアから圧縮画像データ領域に読み出し、ＪＰＥＧ伸張処理を施すことでＹＵＶデータを生成させる。このとき升目のＹＵＶデータも生成する（例えば、ＲＯＭに格子データを生成するプログラムを格納しておき、ＣＰＵが図２のプログラム領域に展開された前記のプログラムに従い、ワークＲＡＭ領域を作業領域として、格子のＹＵＶデータを生成する）。この２つのＹＵＶデータを図２に示す拡大表示用データ格納エリアに転送することで個々の画像を順番に表示していく。表示装置には升目付きの画像が表示されるようになり、動きの変化を解析的に捉えられるようになる。
【００８９】
従来のスライドショー動作では、設定時間で切り替わるスライドショーおよびマウスクリックにより切り替わるスライドショー（戻しも可）が可能であるが、本実施形態では上述したように元画像を分割せずに拡大して表示するだけなので、従来に加え通常再生によるスライドショーの他、設定時間で戻って切り替わる逆再生スライドショー、ランダムなコマのスライドショー、必要なコマだけのスライドショー等必要に応じてのスライドショーも容易に可能となる。そのためにはＲＯＭに上記のスライドショーの順番で再生を行うプログラムを格納しておき、ＣＰＵが図２のプログラム領域に展開された前記のプログラムに従い、ワークＲＡＭ領域を作業領域として、拡大再生用のＹＵＶデータが生成される。その後図２に示す拡大表示用データ格納エリアに転送すると、連写画像のＹＵＶデータを拡大再生するときに表示される画像は上記のスライドショー方式に沿った順番で行われる。
【００９０】
本実施形態では、拡大再生を行うにあたりＪＰＥＧ伸張処理後のＹＵＶデータを拡大表示用データ格納エリアに転送しているが、特に転送することなくＹＵＶデータ領域に保存しておいても問題ない。
【００９１】
本実施形態では前述の分割数の設定値により分割した画像を個々に表示するにあたり、分割した画像を元に、再度ファイルとして出力することが可能である。つまり、指定分割した再生画像、画像サイズ情報を参照して連写画像から作成された個々の画像および拡大再生した画像のＹＵＶデータを指定分割数に従い再生するが、この分割後のＹＵＶデータをＪＰＥＧコーダーに入力し、出力ファイルをファイルフォーマットし、従ったヘッダファイルを付加することで、分割した画像ファイルを作成できる。
【００９２】
図３を用いて説明すると、例えば「１」の個所のみのＹＵＶデータをＪＰＥＧコーダーで圧縮することで、「１」の領域のみの画像ファイルが得られる。
【００９３】
同様に動画ファイルのファイルフォーマット形式で出力すると、１、２、・・、９の画像を動画ファイルとして出力可能である。
【００９４】
なお、本実施形態で取り扱った画像データは連続撮影され、時間的に等間隔に作成された連写画像データであるが、時間的に等間隔でなく、撮影したものでない、連続的に取り込まれた画像データに対しても本発明の技術を適用することができる。
【００９５】
【発明の効果】
本発明は、１つのファイルに作成された連続画像の個々の画像を、容易に１画像として表示し、１ファイルに存在する複数画像データを個々にコマ送りすること、分割画像の表示に再圧縮は必要ないこと、不要な分割画像に対処する必要もなくなる。また、ユーザが所望する画像データだけを再生することができる。
【００９６】
請求項１、１２に係る発明では、適当に画像を分割するとき、表示位置の微調整を行うことなく連続画像の個々の画像をスムーズに再生できる。
【００９７】
請求項２、１３に係る発明では、分割設定値が表す具体的データを有することができる。
【００９８】
請求項３、１４に係る発明では、分割設定値が表す具体的データを有することができる。
【００９９】
請求項４、１５に係る発明では、分割設定値を設定する際の参照データを有することができる。
【０１００】
請求項５、１６に係る発明では、各々の画像データを識別する情報を付加することで、任意のコマ数を１ファイルに作成した場合でも、ファイルに記述した情報から個々の画像を取得することで個別に再生でき、特別な処理を行うことなく連続枚数を指定することができ、個々の画像サイズ、つまり連続枚数を自動的に変更することができる。
【０１０１】
請求項６、１７に係る発明では、画像を小ブロックに分割する作業および再生終了後に分割した画像を消去する作業を省略できる。
【０１０２】
請求項７、１８に係る発明では、音声の関連付けが従来通りで済む。
【０１０３】
請求項８、１９に係る発明では、時系列での分割画像を取り込む際、再生の間隔時間を分割した時間に容易に合わせることができる。
【０１０４】
請求項９、２０に係る発明では、動きの変化をより正確に捉えることができる。
【０１０５】
請求項１０、２１に係る発明では、分割した画像データも画像ファイルとして保存する。
【０１０６】
請求項１１、２２に係る発明では、分割した画像データも動画ファイルとして保存する。
【図面の簡単な説明】
【図１】本発明のデジタルカメラの構成ブロック図である。
【図２】ＳＤＲＡＭのメモリマップである。
【図３】連写画像を一つのファイルとして作成した際のマルチ連写画面の一例である。
【図４】画像をバックで拡大しスライドショー再生したときの様子を示す図である。
【図５】表示間隔時間の設定のダイアログである。
【図６】スライドショー再生にて升目のないの画像（ａ）と、升目のある画像（ｂ）である。
【図７】従来のスライドショー再生の様子を示す図である。
【図１】
2004165857.tif 000003
【図２】
2004165857.tif 000004
【図３】
2004165857.tif 000005
【図４】
2004165857.tif 000006
【図５】
2004165857.tif 000007
【図６】
2004165857.tif 000008
【図７】
2004165857.tif 000009